(57)【要約】      （修正有）【課題】端子の組合せを一回で完成することができ、コネクタを組付ける工数を減少することができ、作製プロセスを簡単化することができるコネクタを提供する。【解決手段】複数の端子２１０ａを含み、各端子に端子分列部２１１ａが設けられる端子ユニット２００と、端子ユニットに組合せられ、複数の第１分列穴３１１と複数の第２分列穴を有する配設される分列子３００と、を含み、第１分列穴は、メーン経路に沿って配設される第１挿入部３１１１と、第１経路に沿って配設される第１分列部と、を有し、第２分列穴は、メーン経路に沿って第１挿入部と交錯に配設される第２挿入部と、第１経路に沿って第１分列部と交錯に配設される第２分列部と、を有する複数列端子付きコネクタにおいて、分列子３００に端子ユニット２００を組合せるときに、各端子分列部２１１ａは、それぞれこれらの第１挿入部とこれらの第２挿入部とに挿入して、これらの第１分列部３１１３とこれらの第２分列部３１２３とに貫入する。【選択図】図５
0003161519.tif 000002
【実用新案登録請求の範囲】
【請求項１】
複数の端子を含み、前記各端子に端子分列部が設けられる端子ユニットと、
前記端子ユニットに組合せられ、複数の第１分列穴と、複数の第２分列穴と、を有し、これらの前記第１分列穴とこれらの前記第２分列穴は、互いに離間するように配設される分列子と、を含み、
前記第１分列穴は、
メーン経路に沿って配設される第１挿入部と、
第１経路に沿って配設される第１分列部と、を有し、
前記第２分列穴は、
メーン経路に沿って前記第１挿入部と交錯に配設される第２挿入部と、
第１経路に沿って前記第１分列部と交錯に配設される第２分列部と、を有する複数列端子付きコネクタにおいて、
前記分列子に前記端子ユニットを組合せるときに、前記各端子分列部は、それぞれこれらの前記第１挿入部とこれらの前記第２挿入部とに挿入して、これらの前記第１分列部とこれらの前記第２分列部とに貫入し、これらの前記第１分列部に貫入する前記端子分列部が端子平面の一側に配設され、これらの前記第２分列部に貫入する前記端子分列部が前記端子平面の他側に配設されることを特徴とする複数列端子付きコネクタ。
【請求項２】
前記第１分列穴には、更に、第１傾斜部が設けられ、前記第１傾斜部は、前記第１挿入部および前記第１分列部と連通し、第１傾斜方向に沿って傾斜することを特徴とする請求項１に記載の複数列端子付きコネクタ。
【請求項３】
前記第２分列穴には、更に、第２傾斜部が設けられ、前記第２傾斜部は、前記第２挿入部および前記第２分列部と連通し、第２傾斜方向に沿って傾斜することを特徴とする請求項２に記載の複数列端子付きコネクタ。
【請求項４】
前記分列子は、更に、複数の第３分列穴を含み、これらの前記第１分列穴とこれらの前記第２分列穴は、これらの前記第３分列穴と離間するように配設されることを特徴とする請求項１に記載の複数列端子付きコネクタ。
【請求項５】
これらの前記第３分列穴には、前記メーン経路に沿って配設される第３挿入部が設けられ、前記分列子に前記端子ユニットを組合せるときに、各第１端子は、それぞれこれらの前記第１挿入部とこれらの前記第２挿入部とこれらの前記第３挿入部とに挿入して、これらの前記第１分列部とこれらの前記第２分列部とこれらの前記第３分列部とに貫入し、これらの前記第１分列部に貫入する前記端子分列部が端子平面の上に配設され、これらの前記第２分列部に貫入する前記端子分列部が前記端子平面の下に配設されることを特徴とする請求項１に記載の複数列端子付きコネクタ。
【請求項６】
これらの前記第３挿入部に貫入する前記端子分列部が端子平面に配設されることを特徴とする請求項５に記載の複数列端子付きコネクタ。
【請求項７】
これらの前記端子に連接部が設けられ、前記連接部の端子は互いに離間するように配設されることを特徴とする請求項１に記載の複数列端子付きコネクタ。
【請求項８】
前記メーン経路と前記第１経路と前記第２経路は、互いに離間することを特徴とする請求項１に記載の複数列端子付きコネクタ。
【請求項９】
前記分列子の両側辺には、挟みアームがそれぞれ伸びることを特徴とする請求項１に記載の複数列端子付きコネクタ。
【請求項１０】
更に、解除機構を含み、前記解除機構は、
前記分列子に組合せられる解除ベースと、
前記解除ベースに枢着される解除ロッドと、を含み、
前記解除ロッドを移動することにより、前記分列子に挿入されるメモリモジュールを前記分列子から分離することができることを特徴とする請求項１に記載の複数列端子付きコネクタ。
【請求項１１】
前記端子ユニットは、更に、これらの前記端子を固定する固定具を含むことを特徴とする請求項１に記載の複数列端子付きコネクタ。
【請求項１２】
更に、前記端子ユニットと前記分列子を覆う金属ケースを含むことを特徴とする請求項１に記載の複数列端子付きコネクタ。
【請求項１３】
第１コネクタと、第２コネクタと、組合せモジュールと、を含み、
前記第１コネクタは、端子ユニットを含み、前記端子ユニットは、複数の端子を含み、前記各端子に端子分列部が設けられ、
前記組合せモジュールは、組合せ子と、分列子と、を含み、
前記組合せ子は、前記第１コネクタと前記第２コネクタを組合せるためのものであり、
前記分列子は、前記組合せ子と前記端子ユニットに組合せられ、前記分列子に複数の第１分列穴と複数の第２分列穴が設けられ、これらの前記第１分列穴とこれらの前記第２分列穴は互いに離間し、
前記分列子に前記端子ユニットを組合せるときに、前記各端子分列部は、それぞれこれらの前記第１分列穴とこれらの前記第２分列穴とに貫入し、これらの前記第１分列穴に貫入する前記端子分列部が端子平面の一側に配設され、これらの前記第２分列穴に貫入する前記端子分列部が前記端子平面の他側に配設されることを特徴とする組合せ式コネクタ。
【請求項１４】
前記第１分列穴は、メーン経路に沿って配設される第１挿入部と、第１経路に沿って配設される第１分列部と、を有し、前記第２分列穴は、メーン経路に沿って前記第１挿入部と交錯に配設される第２挿入部と、第２経路に沿って配設される第２分列部と、を有し、前記分列子に前記端子ユニットを組合せるときに、前記各端子分列部は、それぞれこれらの前記第１挿入部とこれらの前記第２挿入部とに挿入して、これらの前記第１分列部とこれらの前記第２分列部とに貫入し、これらの前記第１分列部に貫入する前記端子分列部が端子平面の一側に配設され、これらの前記第２分列部に貫入する前記端子分列部が前記端子平面の他側に配設されることを特徴とする請求項１に記載の組合せ式コネクタ。
【考案の詳細な説明】
【技術分野】
【０００１】
本考案は、コネクタに関し、特に、複数列端子付きコネクタと組合せ式コネクタに関するものである。
【背景技術】
【０００２】
コネクタによる情報伝送の速度が更に速くなるため、端子同士の互いの電磁波干渉を回避するために、先進的なマザーボードの仕様には、コネクタの端子同士を一定以上の距離に離間することが要求される。そうすると、端子の作製が困難になり、且つマザーボードに設けられる溶接点に合せて端子の仕様が相違するコネクタを作製することが必要になり、製造コストが大幅に増加する問題があった。
【０００３】
図１を参照する。図１に示す従来のコネクタ１０００は、絶縁本体１１０と、第１端子１２０と、第２端子１３０と、第３端子１４０と、を含む。端子らを互いに交錯するために、従来のコネクタ１０００は２種類以上の端子（例えば図１に示す第１端子１２０と第２端子１３０と第３端子１４０）を有することが必要であるため、端子を作製するための金型の作製コストが増加する。
【０００４】
一方、第１端子１２０と第２端子１３０と第３端子１４０は、複数の枝構造を有し、前記枝構造により絶縁本体１１０に固定されるため、第１端子１２０と第２端子１３０と第３端子１４０の作製は、長方形の金属板を切断することにより端子を形成することだけが可能であり、そうすると、歩留が悪くなる。
【０００５】
また、コネクタの仕様がどんどん開発され、製品の競争力を増加するために、最新仕様のコネクタを有することが不可欠であるが、互換性を向上するために、旧仕様のコネクタを有することも必要である。
【０００６】
例えば一般のコンピュータのマザーボードには、五つ以上の種類のコネクタ（例えばＵＳＢコネクタやＨＤＭＩコネクタなど）が設けられる。これにより、コンピュータのマザーボードには、複数の種類のコネクタが積上げ方式によって一つの組合せ式コネクタに作り込まれる。
【０００７】
また、マザーボードの開発の速度が速いため、各型番のマザーボードにあるコネクタの種類および仕様が相違する可能性があるため、組合せ式コネクタに作り込まれるコネクタの種類および仕様が相違する可能性がある。これにより、一つの型番の組合せ式コネクタを全部の型番のマザーボードに適用することができない。相違する仕様の組合せ式コネクタを作製するために、もっと多くの金型を作製することが必要になるため、作製コストが増加する。
【０００８】
図１のＡ及びＢを参照する。図１のＡは従来の組合せ式コネクタの組合済み状態の斜視図であり、図１のＢは従来の組合せ式コネクタの分解斜視図である。組合せ式コネクタ１０００ａは、第１コネクタ１１０ａと、第２コネクタ１２０ａと、組合せ具１３０ａと、固定具１４０ａと、を含む。
【０００９】
組合せ具１３０ａは、第１コネクタ１１０ａと第２コネクタ１２０ａを組合せるためのものである。第１コネクタ１１０ａは分列端子を有し、すなわち、第１コネクタ１１０ａの第１端子１１１ａの溶接端１１１１ａは、２次元なマトリックスのように配設され、互いに一定距離に離間する。これらの溶接端１１１１ａは、組合せ具１３０ａと固定具１４０ａを順次に挿通し、固定具１４０ａにより溶接端１１１１ａが定位される。第２コネクタ１２０ａは分列端子を有し、すなわち、第２コネクタ１２０ａの第２端子１２１ａの溶接端１２１１ａは、２次元なマトリックスのように配設され、互いに一定距離に離間し、これらの溶接端１２１１ａが固定具１４０ａに定位される。
【００１０】
しかしながら、このような組合せ式コネクタ１０００ａは、組合せ具１３０ａによって組合せ可能であるが、各コネクタは相違の構造を有する端子を作製することが必要であり、そうしないと、端子の溶接端が２次元なマトリックスのように配設されることはできず、且つ舌板１１２ａ，１２２ａに、相違の構造を有する端子を組付けることが困難である。また、端子はマザーボードに設けられる溶接点の位置に合せて設計することが必要になり、製造コストが大幅に増加する。従来の分列端子を有する組合せ式コネクタによれば、第１コネクタと第２コネクタがマザーボードの溶接点に合せて各種類の端子を作製することが必要であるため、端子の仕様を確定する前に、第１コネクタと第２コネクタを作製することができず、そうすると、納期の遅延が頻発する。
【考案の概要】
【考案が解決しようとする課題】
【００１１】
本考案の目的は、端子ユニットと、分列子と、を含み、各端子に端子分列部が設けられ、端子分列部が一列で端子平面に配設されるため、分列子に端子ユニットを組合せた後、端子分列部が複数列に排列するようになり、これにより、同じ構造の端子により端子の組合せを一回で完成可能である複数列端子付きコネクタを提供することにある。
【課題を解決するための手段】
【００１２】
本考案の複数列端子付きコネクタによると、複数の端子を含み、前記各端子に端子分列部が設けられる端子ユニットと、
前記端子ユニットに組合せられ、複数の第１分列穴と、複数の第２分列穴と、を有し、これらの前記第１分列穴とこれらの前記第２分列穴は、互いに離間するように配設される分列子と、を含み、
前記第１分列穴は、
メーン経路に沿って配設される第１挿入部と、
第１経路に沿って配設される第１分列部と、を有し、
前記第２分列穴は、
メーン経路に沿って前記第１挿入部と交錯に配設される第２挿入部と、
第１経路に沿って前記第１分列部と交錯に配設される第２分列部と、を有する複数列端子付きコネクタにおいて、
前記分列子に前記端子ユニットを組合せるときに、前記各端子分列部は、それぞれこれらの前記第１挿入部とこれらの前記第２挿入部とに挿入して、これらの前記第１分列部とこれらの前記第２分列部とに貫入し、これらの前記第１分列部に貫入する前記端子分列部が端子平面の一側に配設され、これらの前記第２分列部に貫入する前記端子分列部が前記端子平面の他側に配設されることを特徴とする。
【００１３】
本考案の複数列端子付きコネクタによると、前記第１分列穴には、更に、第１傾斜部が設けられ、前記第１傾斜部は、前記第１挿入部および前記第１分列部と連通し、第１傾斜方向に沿って傾斜することを特徴とする。
【００１４】
本考案の複数列端子付きコネクタによると、前記第２分列穴には、更に、第２傾斜部が設けられ、前記第２傾斜部は、前記第２挿入部および前記第２分列部と連通し、第２傾斜方向に沿って傾斜することを特徴とする。
【００１５】
本考案の複数列端子付きコネクタによると、前記分列子は、更に、複数の第３分列穴を含み、これらの前記第１分列穴とこれらの前記第２分列穴は、これらの前記第３分列穴と離間するように配設されることを特徴とする。
【００１６】
本考案の複数列端子付きコネクタによると、これらの前記第３分列穴には、前記メーン経路に沿って配設される第３挿入部が設けられ、前記分列子に前記端子ユニットを組合せるときに、各第１端子は、それぞれこれらの前記第１挿入部とこれらの前記第２挿入部とこれらの前記第３挿入部とに挿入して、これらの前記第１分列部とこれらの前記第２分列部とこれらの前記第３分列部とに貫入し、これらの前記第１分列部に貫入する前記端子分列部が端子平面の上に配設され、これらの前記第２分列部に貫入する前記端子分列部が前記端子平面の下に配設されることを特徴とする。
【００１７】
本考案の複数列端子付きコネクタによると、これらの前記第３挿入部に貫入する前記端子分列部が端子平面に配設されることを特徴とする。
【００１８】
本考案の複数列端子付きコネクタによると、これらの前記端子に連接部が設けられ、前記連接部の端子は互いに離間するように配設されることを特徴とする。
【００１９】
本考案の複数列端子付きコネクタによると、前記メーン経路と前記第１経路と前記第２経路は、互いに離間することを特徴とする。
【００２０】
本考案の複数列端子付きコネクタによると、前記分列子の両側辺には、挟みアームがそれぞれ伸びることを特徴とする。
【００２１】
本考案の複数列端子付きコネクタによると、更に、解除機構を含み、前記解除機構は、
前記分列子に組合せられる解除ベースと、
前記解除ベースに枢着される解除ロッドと、を含み、
前記解除ロッドを移動することにより、前記分列子に挿入されるメモリモジュールを前記分列子から分離することができることを特徴とする。
【００２２】
本考案の複数列端子付きコネクタによると、前記端子ユニットは、更に、これらの前記端子を固定する固定具を含むことを特徴とする。
【００２３】
本考案の複数列端子付きコネクタによると、更に、前記端子ユニットと前記分列子を覆う金属ケースを含むことを特徴とする。
【００２４】
本考案の組合せ式コネクタによると、第１コネクタと、第２コネクタと、組合せモジュールと、を含み、
前記第１コネクタは、端子ユニットを含み、前記端子ユニットは、複数の端子を含み、前記各端子に端子分列部が設けられ、
前記組合せモジュールは、組合せ子と、分列子と、を含み、
前記組合せ子は、前記第１コネクタと前記第２コネクタを組合せるためのものであり、
前記分列子は、前記組合せ子と前記端子ユニットに組合せられ、前記分列子に複数の第１分列穴と複数の第２分列穴が設けられ、これらの前記第１分列穴とこれらの前記第２分列穴は互いに離間し、
前記分列子に前記端子ユニットを組合せるときに、前記各端子分列部は、それぞれこれらの前記第１分列穴とこれらの前記第２分列穴とに貫入し、これらの前記第１分列穴に貫入する前記端子分列部が端子平面の一側に配設され、これらの前記第２分列穴に貫入する前記端子分列部が前記端子平面の他側に配設されることを特徴とする。
【００２５】
本考案の組合せ式コネクタによると、前記第１分列穴は、メーン経路に沿って配設される第１挿入部と、第１経路に沿って配設される第１分列部と、を有し、前記第２分列穴は、メーン経路に沿って前記第１挿入部と交錯に配設される第２挿入部と、第２経路に沿って配設される第２分列部と、を有し、
前記分列子に前記端子ユニットを組合せるときに、前記各端子分列部は、それぞれこれらの前記第１挿入部とこれらの前記第２挿入部とに挿入して、これらの前記第１分列部とこれらの前記第２分列部とに貫入し、これらの前記第１分列部に貫入する前記端子分列部が端子平面の一側に配設され、これらの前記第２分列部に貫入する前記端子分列部が前記端子平面の他側に配設されることを特徴とする。
【考案の効果】
【００２６】
本考案の複数列端子付きコネクタによれば、次のような効果がある。
（１）分列子に同じ構造を有する端子ユニットを組合せた後、端子が自動的に湾曲されて分列子に固定され、そうすると、端子の組合せを一回で完成することができる。
【００２７】
（２）端子が分列されるため、コネクタを組付ける工数を減少することができ、作製プロセスを簡単化することができ、端子の製造コストを減少することができる。
【００２８】
（３）端子は一つの金属ストリップを湾折することにより作製することができるため、歩留率を向上することができる。
【００２９】
本考案の組合せ式コネクタによれば、次のような効果がある。
（１）一つの組合せモジュールで複数のコネクタを組合せることができ、組合せモジュールの設計を変更することだけにより、相違する仕様の組合せ式コネクタを作り出すことができ、金型の製造個数を減少することができるため、作製コストを減少することができる。
【００３０】
（２）各コネクタが同じ構造の端子を使用し、相違する仕様の分列子により、各コネクタの端子の分列形態を相違にすることができ、且つ分列子の分列穴の配設により、相違するマザーボードに設けられる溶接点に各コネクタの端子を対応することができるため、相違するマザーボードに応じてコネクタ及び端子を別々に設計することが必要ない。
【００３１】
（３）マザーボードの仕様が決められる前に、コネクタを作製することができ、マザーボードの仕様が決められた後、マザーボードの仕様に応じて分列子を作製することにより、従来のものより納期を短縮することができ、製品の競争力を向上することができる。
【図面の簡単な説明】
【００３２】
【図１】従来の縁係止コネクタの斜視図である。
【図１Ａ】従来の組合せ式コネクタの組合済み状態の斜視図である。
【図１Ｂ】従来の組合せ式コネクタの分解斜視図である。
【図２】本考案の複数列端子付きコネクタの第１実施例の組合済み状態の斜視図である。
【図３】本考案の複数列端子付きコネクタの第１実施例の分解斜視図である。
【図４】本考案の複数列端子付きコネクタの第１実施例の分列子の側面図である。
【図５】本考案の複数列端子付きコネクタの第１実施例の分列子の断面図であって、第１端子が分列子に挿入されていない。
【図５Ａ】本考案の複数列端子付きコネクタの第１実施例の分列子の断面図であって、第１端子が分列子に挿入された。
【図６】本考案の複数列端子付きコネクタの第２実施例の組合済み状態の斜視図である。
【図７】本考案の複数列端子付きコネクタの第２実施例の分解斜視図である。
【図８】本考案の複数列端子付きコネクタの第２実施例の分列子の側面図である。
【図９】本考案の複数列端子付きコネクタの第２実施例の分列子の断面図であって、第１端子が分列子に挿入されていない。
【図９Ａ】本考案の複数列端子付きコネクタの分列子の第２実施例の断面図であって、第１端子が分列子に挿入された。
【図１０】本考案の複数列端子付きコネクタの第３実施例の組合済み状態の平面図である。
【図１１】本考案の複数列端子付きコネクタの第３実施例の一部の断面図である。
【図１２】本考案の組合せ式コネクタの第１実施例の組合済み状態の斜視図である。
【図１３】本考案の組合せ式コネクタの第１実施例の分解斜視図である。
【図１４】本考案の組合せ式コネクタの第１実施例の分列子の平面図である。
【図１５】本考案の組合せ式コネクタの第１実施例の一部の断面図である。
【図１６】本考案の組合せ式コネクタの第１実施例の一部の断面図である。
【図１７】本考案の組合せ式コネクタの第２実施例の分解斜視図である。
【図１８】本考案の組合せ式コネクタの第２実施例の分列子の平面図である。
【図１９】本考案の組合せ式コネクタの第２実施例の分列子の断面図である。
【図２０】本考案の組合せ式コネクタの第２実施例の分列子の断面図である。
【図２１】本考案の組合せ式コネクタの第３実施例の一部の分解斜視図である。
【図２２】本考案の組合せ式コネクタの第３実施例の組合せモジュールの平面図である。
【図２３】本考案の組合せ式コネクタの第３実施例の組合せモジュールの断面図である。
【図２４】本考案の組合せ式コネクタの第３実施例の組合せモジュールの断面図である。
【考案を実施するための形態】
【００３３】
以下、本考案の実施の形態を図面に基づいて説明する。
まず、図２乃至図５を参照する。図２は、本考案の複数列端子付きコネクタの第１実施例の組合済み状態の斜視図であり、図３は本考案の複数列端子付きコネクタの第１実施例の分解斜視図であり、図４は本考案の複数列端子付きコネクタの第１実施例の分列子の側面図であり、図５は本考案の複数列端子付きコネクタの第１実施例の分列子の断面図であって、第１端子が分列子に挿入されておらず、図５のＡは本考案の複数列端子付きコネクタの第１実施例の分列子の断面図であって、第１端子が分列子に挿入された。
【００３４】
本考案の複数列端子付きコネクタ２０００は、端子ユニット２００と、分列子３００と、を含む。
端子ユニット２００は、複数の端子２１０と、固定具と、を含む。前記固定具は、第１固定具２２０と、第２固定具２３０と、に分けられる。図５に示す端子２１０ａの構造は、端子ユニット２００が分列子３００に組合せられていないときの構造である。分列子３００に端子ユニット２００を組合せたときの端子の構造は図３に示す。
【００３５】
図５に示すように、端子２１０ａには、端子分列部２１１ａと、湾折部２１２と、連接部２１３と、が設けられ、湾折部２１２は端子分列部２１１ａと連接部２１３を連接するためのものである。端子ユニット２００が分列子３００に組合せられていないときには、これらの端子２１０ａの端子分列部２１１ａと湾折部２１２と連接部２１３は、互いに離間し、すなわち、端子平面Ｐ３に配設される。
【００３６】
図３に示すように、第１固定具２２０は、射出成形（ｉｎｓｅｒｔ  ｍｏｌｄｉｎｇ）方式により端子分列部２１１の少なくとも一部に成形され、これにより、これらの端子２１０を固定することができる。第１固定具２２０の両側辺には、第１係合部２２１がそれぞれ設けられる。
【００３７】
第２固定具２３０は、射出成形（ｉｎｓｅｒｔ  ｍｏｌｄｉｎｇ）方式により連接部２１３の少なくとも一部に成形され、これにより、これらの端子２１０を固定することができる。第２固定具２３０は、一つの第２固定本体２３１と、二つの第２係合部２３３と、を含み、これらの第２係合部２３３がそれぞれ第２固定本体２３１の両側に設けられる。
【００３８】
分列子３００は、端子ユニット２００に組合せられ、一つの分列本体３１０と、二つの挟みアーム３２０と、を含む。分列本体３１０背面３１０１には、複数の第１分列穴３１１と、複数の第２分列穴３１２と、が設けられ、これらの第１分列穴３１１とこれらの第２分列穴３１２は互いに離間するように配設される。分列本体３１０背面３１０１には、更に、第１固定溝３１３と、定位ブロック３１４と、が設けられる。分列子３００に端子ユニット２００を組合せるときには、第１係合部２２１が第１固定溝３１３に係合され、第２係合部２３３が定位ブロック３１４に係合され、これにより、端子ユニット２００と分列子３００が緊密に固定するようになる。
【００３９】
二つの挟みアーム３２０は、それぞれ分列本体３１０の両側に設けられ、メモリモジュールを挟むことができ、分列本体３１０にメモリモジュールを組合せるときには、メモリモジュールが二つの挟みアーム３２０に挟まれ、二つの挟みアーム３２０がメモリモジュールの固定の補助とされる。挟みアーム３２０の一端に第３係合部３２１が設けられ、第３係合部３２１が挟みアーム３２０から二つの第３係合部３２１の中心へ伸びる。分列子３００に端子ユニット２００を組合せるときには、第３係合部３２１が第２固定本体２３１の背面２３２に係合され、これにより、端子ユニット２００と分列子３００が緊密に固定するようになる。
【００４０】
本考案では、更に、解除機構４００を含み、解除機構４００は、解除ロッド４１０と、解除ベース４２０と、を含む。解除ロッド４１０が解除ベース４２０に枢着され、解除ベース４２０は分列子３００に組合せられることができ、解除ロッド４１０が分列子３００と解除ベース４２０の間に設けられる。解除ロッド４１０は、引き部４１１と、押え部４１２と、を含む。分列本体３１０にメモリモジュールを設けるときには、メモリモジュールが押え部４１２を押えて、解除ロッド４１０が解除ベース４２０に対して旋回する。前記メモリモジュールを取り出したいときには、引き部４１１を引くことにより押え部４１２が前記メモリモジュールを押え、そうすると、分列本体３１０から前記メモリモジュールを取り出すことができる。
【００４１】
図４及び図５に示すように、第１分列穴３１１は、第１挿入部３１１１と、第１傾斜部３１１２と、第１分列部３１１３と、を有する。第１挿入部３１１１はメーン経路Ｐ１０に沿って配設される。第１分列部３１１３は第１経路Ｐ１に沿って配設される。第１傾斜部３１１２は第１挿入部３１１１及び第１分列部３１１３と連通し、第１傾斜方向Ｄ１に沿って傾斜する。
【００４２】
第２分列穴３１２は、第２挿入部３１２１と、第２傾斜部３１２２と、第２分列部３１２３と、を有する。第２挿入部３１２１はメーン経路Ｐ１０に沿って配設される。第２分列部３１２３は第２経路Ｐ２に沿って配設される。第２傾斜部３１２２は第２挿入部３１２１及び第２分列部３１２３と連通し、第２傾斜方向Ｄ２に沿って傾斜する。第２傾斜方向Ｄ２と第１傾斜方向Ｄ１はミラー対称である。メーン経路Ｐ１０と第１経路Ｐ１と第２経路Ｐ２は互いに離間する。
【００４３】
このように、図５に示すように、これらの端子２１０ａの端子分列部２１１ａが端子平面Ｐ３に配設される。分列子３００に端子ユニット２００を組合せるときに、各第１端子２１０ａの端子分列部２１１ａは、それぞれこれらの第１挿入部３１１１とこれらの第２挿入部３１２１に挿入して、第１傾斜部３１１２と第２傾斜部３１２２を通過するときに、端子平面Ｐ３に沿って配設される端子分列部２１１ａは、端子平面Ｐ３から離れて、それぞれ第１分列部３１１３と第２分列部３１２３に貫入する。最後に、図５のＡ及び図３に示すように、第１分列部３１１３に貫入する端子分列部２１１は端子平面Ｐ３の一側に配設され、第２分列部３１２３に貫入する端子分列部２１１は端子平面Ｐ３の他側に配設される。
【００４４】
そうすると、同じ構造の端子により端子の組合せを一回で完成することができ、端子を分列することができる。
図６及び図９を参照する。図６は本考案の複数列端子付きコネクタの第２実施例の組合済み状態の斜視図であり、図７は本考案の複数列端子付きコネクタの第２実施例の分解斜視図であり、図８は本考案の複数列端子付きコネクタの第２実施例の分列子の側面図であり、図９は本考案の複数列端子付きコネクタの第２実施例の分列子の断面図であって、第１端子が分列子に挿入されておらず、Ａは本考案の複数列端子付きコネクタの分列子の第２実施例の断面図であって、第１端子が分列子に挿入された。
【００４５】
複数列端子付きコネクタの第２実施例と第１実施例の相違する点は、複数列端子付きコネクタ２０００ｂは、端子ユニット２００ｂと、分列子３００ｂと、金属ケース５００と、を含む。端子ユニット２００ｂは、複数の端子２１０ｂと、一つの固定具と、を含む。前記固定具は、第１固定具２２０ｂと、第２固定具２３０ｂと、に分けられる。金属ケース５００は端子ユニット２００ｂと分列子３００ｂを覆う。図９に示す端子２１０ｃの端子分列部２１１ｃの構造は、端子ユニット２００ｂが分列子３００ｂに組合せられていないときの構造である。本考案では、端子ユニット２００ｂが分列子３００ｂに組合せられたときには、端子２１０ｂの端子分列部２１１ｂの構造が図３に示す構造になる。
【００４６】
図９に示すように、端子２１０ｃには、端子分列部２１１ｃと、湾折部２１２ｂと、連接部２１３ｂと、が設けられ、湾折部２１２ｂは端子分列部２１１ｃと連接部２１３ｂを連接するためのものである。端子ユニット２００ｂが分列子３００ｂに組合せられていないときには、これらの端子２１０ｃの端子分列部２１１ｃと湾折部２１２ｂと連接部２１３ｂは、互いに離間するように配設される。
【００４７】
図８及び図９に示すように、第１分列穴３１１ｂは、第１挿入部３１１１ｂと、第１傾斜部３１１２ｂと、第１分列部３１１３ｂと、を有する。第１挿入部３１１１ｂはメーン経路Ｐ１０に沿って配設される。第１分列部３１１３ｂは第１経路Ｐ１に沿って配設される。第１傾斜部３１１２ｂは第１挿入部３１１１ｂ及び第１分列部３１１３ｂと連通し、第１傾斜方向Ｄ１に沿って傾斜する。
【００４８】
第２分列穴３１２ｂは、第２挿入部３１２１ｂと、第２傾斜部３１２２ｂと、第２分列部３１２３ｂと、を有する。第２挿入部３１２１ｂはメーン経路Ｐ１０に沿って配設される。第２分列部３１２３ｂは第２経路Ｐ２に沿って配設される。第２傾斜部３１２２ｂは第２挿入部３１２１ｂ及び第２分列部３１２３ｂと連通し、第２傾斜方向Ｄ２に沿って傾斜する。第２傾斜方向Ｄ２と第１傾斜方向Ｄ１はミラー対称である。メーン経路Ｐ１０と第１経路Ｐ１と第２経路Ｐ２は互いに離間する。
【００４９】
このように、図９に示すように、これらの端子２１０ｃの端子分列部２１１ｃが端子平面Ｐ３に配設される。分列子３００ｂに端子ユニット２００ｂを組合せるときに、各第１端子２１０ｃは、それぞれこれらの第１挿入部３１１１ｂとこれらの第２挿入部３１２１ｂに挿入して、第１傾斜部３１１２ｂと第２傾斜部３１２２ｂを通過するときに、端子平面Ｐ３に沿って配設される端子分列部２１１ｃは、端子平面Ｐ３から離れて、それぞれ第１分列部３１１３ｂと第２分列部３１２３ｂに貫入する。最後に、図９のＡ及び図７に示すように、第１分列部３１１３ｂに貫入する端子分列部２１１ｂは端子平面Ｐ３の一側に配設され、第２分列部３１２３ｂに貫入する端子分列部２１１ｂは端子平面Ｐ３の他側に配設される。
【００５０】
本考案では、コネクタによる情報伝送の速度が更に速くなるため、端子同士の互いの電磁波の干渉を回避するために、コネクタの端子同士が一定以上の距離に離間される。
【００５１】
図１０及び図１１を参照する。図１０は本考案の複数列端子付きコネクタの第３実施例の組合済み状態の平面図であり、図１１は本考案の複数列端子付きコネクタの第３実施例の一部の断面図である。
【００５２】
本考案の複数列端子付きコネクタの第３実施例と第２実施例の相違する点は、分列子３００ｂは、更に、複数の第３分列穴３１５を含む。これらの第１分列穴３１１ｂとこれらの第２分列穴３１２ｂとこれらの第３分列穴３１５は互いに離間する。
【００５３】
これらの第３分列穴３１５に第３挿入部３１５１が設けられ、第３挿入部３１５１がメーン経路Ｐ１０に沿って配設される。分列子３００ｂに端子ユニット２００ｂを組合せるときに、各第１端子２１０ｃは、図９に示すように、それぞれこれらの第１挿入部３１１１ｂとこれらの第２挿入部３１２１ｂとこれらの第３挿入部３１５１に挿入して、これらの第１分列部３１１３ｂとこれらの第２分列部３１２３ｂとこれらの第３挿入部３１５１に貫入して、最後に、これらの第１分列部３１１３ｂに貫入する端子分列部２１１ｂが端子平面Ｐ３の一側に配設され、これらの第２分列部３１２３ｂに貫入する端子分列部２１１ｂが端子平面Ｐ３の他側に配設され、なお、これらの第３挿入部３１５１に貫入する端子分列部２１１ｂが端子平面Ｐ３に配設される。そうすると、これらの端子は３列に分列される。
【００５４】
図１２乃至図１５を参照する。図１２は本考案の組合せ式コネクタの第１実施例の組合済み状態の斜視図であり、図１３は本考案の組合せ式コネクタの第１実施例の分解斜視図であり、図１４は本考案の組合せ式コネクタの第１実施例の分列子の平面図であり、図１５は本考案の組合せ式コネクタの第１実施例の一部の断面図である。本考案の組合せ式コネクタは、第１コネクタ２０００ｄと、第２コネクタ２０００ｅと、組合せモジュール３０００と、を含む。第１コネクタ２０００ｄと第２コネクタ２０００ｅの相違する点は、第１コネクタ２０００ｄの端子２１０ｄの長さがより長いことにある。第２コネクタ２０００ｅは、本考案の第２実施例および第３実施例におけるコネクタ２０００ｂでもよい。図１３に示す端子２１０ｄは分列子７００が挿入されていない状態であり、このとき、これらの端子２１０ｄの端子分列部２１１ｄは第３経路Ｐ４に沿って配設される。
【００５５】
組合せモジュール３０００は、組合せ子６００と、分列子７００と、を含む。組合せ子６００には、伸び方向Ｄ３に沿って伸びるガイド穴６１０が設けられる。図１５に示すように、ガイド穴６１０の両側には、第１ガイド開口６１１と、第２ガイド開口６１２と、がそれぞれ設けられる。ガイド穴６１０は傾斜な側壁を有し、第１ガイド開口６１１の幅が第２ガイド開口６１２の幅よりも広い。これらの端子２１０ｄは端子排列経路Ｐ４に沿って配設され、端子排列経路Ｐ４が伸び方向Ｄ３に沿って伸びる。これらの端子２１０ｄが第１ガイド開口６１１からガイド穴６１０に挿入するときには、第１ガイド開口６１１の幅が第２ガイド開口６１２の幅よりも広いため、端子２１０ｄが不整列であっても、ガイド穴６１０にスムーズに挿入することができる。
【００５６】
分列子７００は分列ブロック７１０を含み、分列ブロック７１０は、分列子７００から伸び出し、伸び方向Ｄ３に沿って伸びる。分列ブロック７１０の両側には、複数の傾斜溝７１１がそれぞれ設けられる。
【００５７】
分列子７００と組合せ子６００を組合せた後、組合せモジュールが複数の第１分列穴３１１ｄと複数の第２分列穴３１２ｄに形成される。これらの第１分列穴３１１ｄとこれらの第２分列穴３１２ｄは互いに離間する。このとき、ガイド穴６１０は、これらの第１分列穴３１１ｄ及びこれらの第２分列穴３１２ｄと連通する。組合せモジュールに第１コネクタ２０００ｄを組合せるときに、各端子２１０ｄは、ガイド穴６１０を挿入して、分列ブロック７１０を経由して、それぞれこれらの第１分列穴３１１ｄとこれらの第２分列穴３１２ｄに貫入し、これにより、図１６に示すように、これらの端子２１０ｄの端子分列部２１１ｄ１、２１１ｄ２が分列するようになる。
【００５８】
図１４及び図１５に示すように、第１分列穴３１１ｄは、第１挿入部３１１１ｄと、第１傾斜部３１１２ｄと、第１分列部３１１３ｄと、を有する。第１挿入部３１１１ｄはメーン経路Ｐ１０に沿って配設される。第１分列部３１１３ｄは第１経路Ｐ１に沿って配設される。これらの第１分列部３１１３ｄは分列子７００を貫通する。第１傾斜部３１１２ｄは、第１挿入部３１１１ｄ及び第１分列部３１１３ｄと連通し、第１傾斜方向Ｄ１に沿って傾斜する。第１傾斜部３１１２ｄは傾斜溝７１１と組合せ子６００との側壁から構成される。
【００５９】
第２分列穴３１２ｄは、第２挿入部３１２１ｄと、第２傾斜部３１２２ｄと、第２分列部３１２３ｄと、を有する。第２挿入部３１２１ｄはメーン経路Ｐ１０に沿って配設される。第２分列部３１２３ｄは第２経路Ｐ２に沿って配設される。これらの第２分列部３１２３ｄは分列子７００を貫通する。第２傾斜部３１２２ｄは、第２挿入部３１２１ｄ及び第２分列部３１２３ｄと連通し、第２傾斜方向Ｄ２に沿って傾斜する。第２傾斜部３１２２ｄは傾斜溝７１１と組合せ子６００との側壁から構成される。
【００６０】
組合せモジュール３０００に第１コネクタ２０００ｄを組合せるときに、各端子２１０ｄは、ガイド穴６１０に貫入した後、それぞれこれらの第１挿入部３１１１ｄとこれらの第２挿入部３１２１ｄに挿入して、第１傾斜部３１１２ｄと第２傾斜部３１２２ｄを通過し、これにより、本来、端子排列経路Ｐ４に沿って配設される端子２１０ｄは、徐々に分離して、それぞれ第１分列部３１１３ｄと第２分列部３１２３ｄに貫入する。
【００６１】
このように、組合せモジュール３０００に端子２１０ｄを挿入した後、端子２１０ｄが２列に分列されるようになり、図１６に示すように、端子分列部２１１ｄ１が端子平面Ｐ３の一側に配設され、なお、端子分列部２１１ｄ２が端子平面Ｐ３の他側に配設される。
【００６２】
図１７乃至図２０を参照する。図１７は本考案の組合せ式コネクタの第２実施例の分解斜視図であり、図１８は本考案の組合せ式コネクタの第２実施例の分列子の平面図であり、図１９は本考案の組合せ式コネクタの第２実施例の分列子の断面図であり、図２０は本考案の組合せ式コネクタの第２実施例の分列子の断面図である。本考案の組合せ式コネクタの第２実施例と第１実施例の相違する点は、第１実施例に係るガイド穴６１０が設けられない。
【００６３】
これらの第１分列穴３１１ｆとこれらの第２分列穴３１２ｆは分列子７００ｆに設けられる。第１コネクタ２０００ｆの端子２１０ｆは、これらの第１分列穴３１１ｆとこれらの第２分列穴３１２ｆに挿入して分列される。すなわち、各端子２１０ｆは、それぞれこれらの第１挿入部３１１１ｆとこれらの第２挿入部３１２１ｆに挿入して、第１傾斜部３１１２ｆと第２傾斜部３１２２ｆを通過した後、端子２１０ｆの端子分列部２１１ｆは、徐々に分離して、それぞれ第１分列部３１１３ｆと第２分列部３１２３ｆに貫入して２列に分列するようになる。図２０に示すように、端子分列部２１１ｆ１が端子平面Ｐ３の一側に配設され、なお、端子分列部２１１ｆ２が端子平面Ｐ３の他側に配設される。
【００６４】
また、分列子７００ｆは、更に、第１分列穴３１６と、第２分列穴３１７と、に設けられる。第１分列穴３１６と第２分列穴３１７は、第２コネクタ２０００ｇの第２端子２１５を分列するためのものである。第１分列穴３１６と第２分列穴３１７は、その構造が第１分列穴３１１ｆと第２分列穴３１２ｆの構造に近似し、第２端子２１５を分列する方式も端子２１０ｆを分列する方式に近似するため、説明を省略した。
【００６５】
図２１乃至図２４を参照する。図２１は本考案の組合せ式コネクタの第３実施例の一部の分解斜視図であり、図２２は本考案の組合せ式コネクタの第３実施例の組合せモジュールの平面図であり、図２３は本考案の組合せ式コネクタの第３実施例の組合せモジュールの断面図であり、図２４は本考案の組合せ式コネクタの第３実施例の組合せモジュールの断面図である。本考案の組合せ式コネクタの第３実施例の第１実施例および第２実施例と相違する点は、組合せモジュールの組合せ子６００ｈと分列子７００ｈが一体成形され、互いに離間する、複数の第１分列穴３１１ｈと、複数の第２分列穴３１２ｈと、複数の第３分列穴３１５ｈと、が設けられることにある。
【００６６】
これらの第３分列穴３１５ｈには、リニアに貫通する第３挿入部３１５１ｈだけが設けられ、第３挿入部３１５１ｈがメーン経路Ｐ１０に沿って配設される。端子２１０ｈは、それぞれこれらの第１挿入部３１１１ｈと第２挿入部３１２１ｈと第３挿入部３１５１ｈに挿入して、これらの第１分列部３１１３ｈと第２分列部３１２３ｈと第３分列部３１５１ｈに貫入することにより、端子２１０ｈの端子分列部２１１ｈがそれぞれ第１経路Ｐ１と第２経路Ｐ２と第３経路Ｐ３に沿って配設され、図２４に示す端子分列部２１１ｈ１、２１１ｈ２、２１１ｈ３が形成される。
【００６７】
このように、本考案が、特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００６８】
本考案は、コネクタに適用することができる。
【符号の説明】
【００６９】
１１０  絶縁本体
１１０ａ  第１コネクタ
１１２ａ  舌板
１２０  第１端子
１２０ａ  第２コネクタ
１２１ａ  第２端子
１２２ａ  舌板
１３０  第２端子
１３０ａ  組合せ具
１４０  第３端子  
１４０ａ  固定具
２００  端子ユニット
２００ｂ  端子ユニット
２００ｄ  端子ユニット
２１０  端子
２１０ａ  端子
２１０ｂ  端子
２１０ｃ  端子
２１０ｄ  端子
２１０ｆ  端子
２１０ｈ  端子
２１１  端子分列部
２１１ａ  端子分列部
２１１ｂ  端子分列部
２１１ｃ  端子分列部
２１１ｄ  端子分列部
２１１ｄ１  端子分列部
２１１ｄ２  端子分列部
２１１ｆ  端子分列部
２１１ｆ１  端子分列部
２１１ｆ２  端子分列部
２１１ｈ  端子分列部
２１１ｈ１  端子分列部
２１１ｈ２  端子分列部
２１１ｈ３  端子分列部
２１２  湾折部
２１３  連接部
２１５  第２端子
２２０  第１固定具
２２０ｂ  第１固定具
２２１  第１係合部
２３０  第２固定具
２３０ｂ  第２固定具
２３１  第２固定本体
２３２  背面
２３３  第２係合部
３００  分列子
３００ｂ  分列子
３１０  分列本体
３１１  第１分列穴
３１１ｂ  第１分列穴
３１１ｄ  第１分列穴
３１１ｆ  第１分列穴
３１１ｈ  第１分列穴
３１６  第１分列穴
３１２  第２分列穴
３１２ｂ  第２分列穴
３１２ｄ  第２分列穴
３１２ｆ  第２分列穴
３１２ｈ  第２分列穴
３１７  第２分列穴
３１３  第１固定溝
３１４  定位ブロック
３１５  第３分列穴
３１５ｈ  第３分列穴
３２０  挟みアーム
３２１  第３係合部
４００  解除機構
４１０  解除ロッド  
４１１  引き部
４１２  押え部
４２０  解除ベース
５００  金属ケース  
６００  組合せ子
６００ｈ  組合せ子
６１０  ガイド穴
６１１  第１ガイド開口  
６１２  第２ガイド開口
７００  分列子
７００ｆ  分列子
７００ｈ  分列子
７１０  分列ブロック
７１１  傾斜溝  
１０００  コネクタ
１０００ａ  組合せ式コネクタ
１１１１  モジュールポート
１１１１ａ  溶接端  
１２１１ａ  溶接端
２０００  複数列端子付きコネクタ
２０００ｂ  複数列端子付きコネクタ
２０００ｄ  第１コネクタ
２０００ｆ  第１コネクタ
２０００ｈ  第１コネクタ
２０００ｅ  第２コネクタ
２０００ｇ  第２コネクタ
２０００ｉ  第２コネクタ
３０００  組合せモジュール
３０００ｈ  組合せモジュール
３１０１  背面
３１１１  第１挿入部
３１１１ｂ  第１挿入部
３１１１ｄ  第１挿入部
３１１１ｆ  第１挿入部
３１１２  第１傾斜部
３１１２ｂ  第１傾斜部
３１１２ｄ  第１傾斜部
３１１２ｆ  第１傾斜部
３１１３  第１分列部
３１１３ｂ  第１分列部
３１１３ｄ  第１分列部
３１１３ｆ  第１分列部
３１２１  第２挿入部
３１２１ｂ  第２挿入部
３１２１ｄ  第２挿入部
３１２１ｆ  第２挿入部
３１２２  第２傾斜部
３１２２ｂ  第２傾斜部
３１２２ｄ  第２傾斜部
３１２２ｆ  第２傾斜部
３１２３  第２分列部
３１２３ｂ  第２分列部
３１２３ｄ  第２分列部
３１２３ｆ  第２分列部
３１５１  第３挿入部
３１５１ｈ  第３挿入部
Ｄ１  第１傾斜方向
Ｄ２  第２傾斜方向
Ｄ３  伸び方向
Ｐ１  第１経路
Ｐ２  第２経路  
Ｐ３  端子平面
Ｐ４  第３経路
Ｐ１０  メーン経路
【図１】
0003161519.tif 000003
【図１Ａ】
0003161519.tif 000004
【図１Ｂ】
0003161519.tif 000005
【図２】
0003161519.tif 000006
【図３】
0003161519.tif 000007
【図４】
0003161519.tif 000008
【図５】
0003161519.tif 000009
【図５Ａ】
0003161519.tif 000010
【図６】
0003161519.tif 000011
【図７】
0003161519.tif 000012
【図８】
0003161519.tif 000013
【図９】
0003161519.tif 000014
【図９Ａ】
0003161519.tif 000015
【図１０】
0003161519.tif 000016
【図１１】
0003161519.tif 000017
【図１２】
0003161519.tif 000018
【図１３】
0003161519.tif 000019
【図１４】
0003161519.tif 000020
【図１５】
0003161519.tif 000021
【図１６】
0003161519.tif 000022
【図１７】
0003161519.tif 000023
【図１８】
0003161519.tif 000024
【図１９】
0003161519.tif 000025
【図２０】
0003161519.tif 000026
【図２１】
0003161519.tif 000027
【図２２】
0003161519.tif 000028
【図２３】
0003161519.tif 000029
【図２４】
0003161519.tif 000030
【手続補正書】
【提出日】平成22年3月24日(2010.3.24)
【手続補正１】
【補正対象書類名】実用新案登録請求の範囲
【補正対象項目名】全文
【補正方法】変更
【補正の内容】
【実用新案登録請求の範囲】
【請求項１】
複数の端子を含み、前記各端子に端子分列部が設けられる端子ユニットと、
前記端子ユニットに組合せられ、複数の第１分列穴と、複数の第２分列穴と、を有し、これらの前記第１分列穴とこれらの前記第２分列穴は、互いに離間するように配設される分列子と、を含み、
前記第１分列穴は、
メーン経路に沿って配設される第１挿入部と、
第１経路に沿って配設される第１分列部と、を有し、
前記第２分列穴は、
メーン経路に沿って前記第１挿入部と交錯に配設される第２挿入部と、
第２経路に沿って前記第１分列部と交錯に配設される第２分列部と、を有する複数列端子付きコネクタにおいて、
前記分列子に前記端子ユニットを組合せるときに、前記各端子分列部は、それぞれこれらの前記第１挿入部とこれらの前記第２挿入部とに挿入して、これらの前記第１分列部とこれらの前記第２分列部とに貫入し、これらの前記第１分列部に貫入する前記端子分列部が端子平面の一側に配設され、これらの前記第２分列部に貫入する前記端子分列部が前記端子平面の他側に配設されることを特徴とする複数列端子付きコネクタ。
【請求項２】
前記第１分列穴には、更に、第１傾斜部が設けられ、前記第１傾斜部は、前記第１挿入部および前記第１分列部と連通し、第１傾斜方向に沿って傾斜することを特徴とする請求項１に記載の複数列端子付きコネクタ。
【請求項３】
前記第２分列穴には、更に、第２傾斜部が設けられ、前記第２傾斜部は、前記第２挿入部および前記第２分列部と連通し、第２傾斜方向に沿って傾斜することを特徴とする請求項２に記載の複数列端子付きコネクタ。
【請求項４】
前記分列子は、更に、複数の第３分列穴を含み、これらの前記第１分列穴とこれらの前記第２分列穴は、これらの前記第３分列穴と離間するように配設されることを特徴とする請求項１に記載の複数列端子付きコネクタ。
【請求項５】
これらの前記第３分列穴には、前記メーン経路に沿って配設される第３挿入部が設けられ、前記分列子に前記端子ユニットを組合せるときに、各第１端子は、それぞれこれらの前記第１挿入部とこれらの前記第２挿入部とこれらの前記第３挿入部とに挿入して、これらの前記第１分列部とこれらの前記第２分列部とこれらの前記第３分列部とに貫入し、これらの前記第１分列部に貫入する前記端子分列部が端子平面の上に配設され、これらの前記第２分列部に貫入する前記端子分列部が前記端子平面の下に配設されることを特徴とする請求項４に記載の複数列端子付きコネクタ。
【請求項６】
これらの前記第３挿入部に貫入する前記端子分列部が端子平面に配設されることを特徴とする請求項５に記載の複数列端子付きコネクタ。
【請求項７】
これらの前記端子に連接部が設けられ、前記連接部の端子は互いに離間するように配設されることを特徴とする請求項１に記載の複数列端子付きコネクタ。
【請求項８】
前記メーン経路と前記第１経路と前記第２経路は、互いに離間することを特徴とする請求項１に記載の複数列端子付きコネクタ。
【請求項９】
前記分列子の両側辺には、挟みアームがそれぞれ伸びることを特徴とする請求項１に記載の複数列端子付きコネクタ。
【請求項１０】
更に、解除機構を含み、前記解除機構は、
前記分列子に組合せられる解除ベースと、
前記解除ベースに枢着される解除ロッドと、を含み、
前記解除ロッドを移動することにより、前記分列子に挿入されるメモリモジュールを前記分列子から分離することができることを特徴とする請求項１に記載の複数列端子付きコネクタ。
【請求項１１】
前記端子ユニットは、更に、これらの前記端子を固定する固定具を含むことを特徴とする請求項１に記載の複数列端子付きコネクタ。
【請求項１２】
更に、前記端子ユニットと前記分列子を覆う金属ケースを含むことを特徴とする請求項１に記載の複数列端子付きコネクタ。
【請求項１３】
第１コネクタと、第２コネクタと、組合せモジュールと、を含み、
前記第１コネクタは、端子ユニットを含み、前記端子ユニットは、複数の端子を含み、前記各端子に端子分列部が設けられ、
前記組合せモジュールは、組合せ子と、分列子と、を含み、
前記組合せ子は、前記第１コネクタと前記第２コネクタを組合せるためのものであり、
前記分列子は、前記組合せ子と前記端子ユニットに組合せられ、前記分列子に複数の第１分列穴と複数の第２分列穴が設けられ、これらの前記第１分列穴とこれらの前記第２分列穴は互いに離間し、
前記分列子に前記端子ユニットを組合せるときに、前記各端子分列部は、それぞれこれらの前記第１分列穴とこれらの前記第２分列穴とに貫入し、これらの前記第１分列穴に貫入する前記端子分列部が端子平面の一側に配設され、これらの前記第２分列穴に貫入する前記端子分列部が前記端子平面の他側に配設されることを特徴とする組合せ式コネクタ。
【請求項１４】
前記第１分列穴は、メーン経路に沿って配設される第１挿入部と、第１経路に沿って配設される第１分列部と、を有し、前記第２分列穴は、メーン経路に沿って前記第１挿入部と交錯に配設される第２挿入部と、第２経路に沿って配設される第２分列部と、を有し、前記分列子に前記端子ユニットを組合せるときに、前記各端子分列部は、それぞれこれらの前記第１挿入部とこれらの前記第２挿入部とに挿入して、これらの前記第１分列部とこれらの前記第２分列部とに貫入し、これらの前記第１分列部に貫入する前記端子分列部が端子平面の一側に配設され、これらの前記第２分列部に貫入する前記端子分列部が前記端子平面の他側に配設されることを特徴とする請求項１３に記載の組合せ式コネクタ。
【手続補正書】
【提出日】平成22年5月31日(2010.5.31)
【手続補正１】
【補正対象書類名】明細書
【補正対象項目名】００１６
【補正方法】変更
【補正の内容】
【００１６】
本考案の複数列端子付きコネクタによると、これらの前記第３分列穴には、前記メーン経路に沿って配設される第３挿入部が設けられ、前記分列子に前記端子ユニットを組合せるときに、各第１端子は、それぞれこれらの前記第１挿入部とこれらの前記第２挿入部とこれらの前記第３挿入部とに挿入して、これらの前記第１分列部とこれらの前記第２分列部とこれらの前記第３挿入部とに貫入し、これらの前記第１分列部に貫入する前記端子分列部が端子平面の上に配設され、これらの前記第２分列部に貫入する前記端子分列部が前記端子平面の下に配設されることを特徴とする。
【手続補正２】
【補正対象書類名】明細書
【補正対象項目名】００６６
【補正方法】変更
【補正の内容】
【００６６】
これらの第３分列穴３１５ｈには、リニアに貫通する第３挿入部３１５１ｈだけが設けられ、第３挿入部３１５１ｈがメーン経路Ｐ１０に沿って配設される。端子２１０ｈは、それぞれこれらの第１挿入部３１１１ｈと第２挿入部３１２１ｈと第３挿入部３１５１ｈに挿入して、これらの第１分列部３１１３ｈと第２分列部３１２３ｈと第３挿入部３１５１ｈに貫入することにより、端子２１０ｈの端子分列部２１１ｈがそれぞれ第１経路Ｐ１と第２経路Ｐ２と第３経路Ｐ３に沿って配設され、図２４に示す端子分列部２１１ｈ１、２１１ｈ２、２１１ｈ３が形成される。
【手続補正３】
【補正対象書類名】実用新案登録請求の範囲
【補正対象項目名】全文
【補正方法】変更
【補正の内容】
【実用新案登録請求の範囲】
【請求項１】
複数の端子を含み、前記各端子に端子分列部が設けられる端子ユニットと、
前記端子ユニットに組合せられ、複数の第１分列穴と、複数の第２分列穴と、を有し、
これらの前記第１分列穴とこれらの前記第２分列穴は、互いに離間するように配設される分列子と、を含み、
前記第１分列穴は、
メーン経路に沿って配設される第１挿入部と、
第１経路に沿って配設される第１分列部と、を有し、
前記第２分列穴は、
メーン経路に沿って前記第１挿入部と交錯に配設される第２挿入部と、
第２経路に沿って前記第１分列部と交錯に配設される第２分列部と、を有する複数列端 子付きコネクタにおいて、
前記分列子に前記端子ユニットを組合せるときに、前記各端子分列部は、それぞれこれらの前記第１挿入部とこれらの前記第２挿入部とに挿入して、これらの前記第１分列部とこれらの前記第２分列部とに貫入し、これらの前記第１分列部に貫入する前記端子分列部が端子平面の一側に配設され、これらの前記第２分列部に貫入する前記端子分列部が前記端子平面の他側に配設されることを特徴とする複数列端子付きコネクタ。
【請求項２】
前記第１分列穴には、更に、第１傾斜部が設けられ、前記第１傾斜部は、前記第１挿入部および前記第１分列部と連通し、第１傾斜方向に沿って傾斜することを特徴とする請求項１に記載の複数列端子付きコネクタ。
【請求項３】
前記第２分列穴には、更に、第２傾斜部が設けられ、前記第２傾斜部は、前記第２挿入部および前記第２分列部と連通し、第２傾斜方向に沿って傾斜することを特徴とする請求項２に記載の複数列端子付きコネクタ。
【請求項４】
前記分列子は、更に、複数の第３分列穴を含み、これらの前記第１分列穴とこれらの前記第２分列穴は、これらの前記第３分列穴と離間するように配設されることを特徴とする請求項１に記載の複数列端子付きコネクタ。
【請求項５】
これらの前記第３分列穴には、前記メーン経路に沿って配設される第３挿入部が設けられ、前記分列子に前記端子ユニットを組合せるときに、各第１端子は、それぞれこれらの前記第１挿入部とこれらの前記第２挿入部とこれらの前記第３挿入部とに挿入して、これらの前記第１分列部とこれらの前記第２分列部とこれらの前記第３挿入部とに貫入し、これらの前記第１分列部に貫入する前記端子分列部が端子平面の上に配設され、これらの前記第２分列部に貫入する前記端子分列部が前記端子平面の下に配設されることを特徴とする請求項４に記載の複数列端子付きコネクタ。
【請求項６】
これらの前記第３挿入部に貫入する前記端子分列部が端子平面に配設されることを特徴とする請求項５に記載の複数列端子付きコネクタ。
【請求項７】
これらの前記端子に連接部が設けられ、前記連接部の端子は互いに離間するように配設されることを特徴とする請求項１に記載の複数列端子付きコネクタ。
【請求項８】
前記メーン経路と前記第１経路と前記第２経路は、互いに離間することを特徴とする請求項１に記載の複数列端子付きコネクタ。
【請求項９】
前記分列子の両側辺には、挟みアームがそれぞれ伸びることを特徴とする請求項１に記載の複数列端子付きコネクタ。
【請求項１０】
更に、解除機構を含み、前記解除機構は、
前記分列子に組合せられる解除ベースと、
前記解除ベースに枢着される解除ロッドと、を含み、
前記解除ロッドを移動することにより、前記分列子に挿入されるメモリモジュールを前記分列子から分離することができることを特徴とする請求項１に記載の複数列端子付きコネクタ。
【請求項１１】
前記端子ユニットは、更に、これらの前記端子を固定する固定具を含むことを特徴とする請求項１に記載の複数列端子付きコネクタ。
【請求項１２】
更に、前記端子ユニットと前記分列子を覆う金属ケースを含むことを特徴とする請求項１に記載の複数列端子付きコネクタ。
【請求項１３】
第１コネクタと、第２コネクタと、組合せモジュールと、を含み、
前記第１コネクタは、端子ユニットを含み、前記端子ユニットは、複数の端子を含み、前記各端子に端子分列部が設けられ、
前記組合せモジュールは、組合せ子と、分列子と、を含み、
前記組合せ子は、前記第１コネクタと前記第２コネクタを組合せるためのものであり、前記分列子は、前記組合せ子と前記端子ユニットに組合せられ、前記分列子に複数の第１分列穴と複数の第２分列穴が設けられ、これらの前記第１分列穴とこれらの前記第２分列穴は互いに離間し、
前記分列子に前記端子ユニットを組合せるときに、前記各端子分列部は、それぞれこれらの前記第１分列穴とこれらの前記第２分列穴とに貫入し、これらの前記第１分列穴に貫入する前記端子分列部が端子平面の一側に配設され、これらの前記第２分列穴に貫入する前記端子分列部が前記端子平面の他側に配設されることを特徴とする組合せ式コネクタ。
【請求項１４】
前記第１分列穴は、メーン経路に沿って配設される第１挿入部と、第１経路に沿って配設される第１分列部と、を有し、前記第２分列穴は、メーン経路に沿って前記第１挿入部と交錯に配設される第２挿入部と、第２経路に沿って配設される第２分列部と、を有し、前記分列子に前記端子ユニットを組合せるときに、前記各端子分列部は、それぞれこれらの前記第１挿入部とこれらの前記第２挿入部とに挿入して、これらの前記第１分列部とこれらの前記第２分列部とに貫入し、これらの前記第１分列部に貫入する前記端子分列部が端子平面の一側に配設され、これらの前記第２分列部に貫入する前記端子分列部が前記端子平面の他側に配設されることを特徴とする請求項１３に記載の組合せ式コネクタ。